(57)【要約】本発明は、湿気透過性があり、液体不透過性であり、１つまたは複数の活性物質を含有する、使い捨てカバーシートに関する。使い捨てカバーシートは、少なくとも、湿気透過性がある層と、液体不透過性ではあるが湿気透過性がある熱可塑性組成物のフィルム層とを含む。例えばマットレスカバーまたは枕カバーなどの使い捨てカバーシートは、活性物質放出特性を提供して、より良い心地よさを使用者にもたらす。本発明の使い捨てカバーシートは、長く続く活性物質放出特性とも結合した、湿気透過性があり、液体不透過性が望ましい場合に、様々な用途を見出すことができる。
2004510475.tif 000002
【特許請求の範囲】
【請求項１】
少なくとも湿気透過性層と、該湿気透過性層上に適用された液体不透過性であるが湿気透過性の熱可塑性組成物フィルム層とを含む湿気透過性で液体不透過性の使い捨てカバーシートであって、該カバーシートは７日後及び好ましくは１４日後において、活性物質そのものの同一期間後の匂い強度と比較して、少なくとも５、好ましくは少なくとも１０、より好ましくは少なくとも１５の匂い強度の明確な差を提供可能な活性物質放出システムを含み、該値は本明細書に記載された活性物質強度試験に従って決定され、該カバーシートの最初の使用後から該活性物質の長期に及ぶ放出を目的とする、湿気透過性で液体不透過性の使い捨てカバーシート。
【請求項２】
前記活性物質放出システムが、活性物質として香料を含む、請求項１に記載の湿気透過性で液体不透過性の使い捨てカバーシート。
【請求項３】
前記活性物質放出システムが、少なくとも１つの一級及び／または二級アミン基を含むアミノ官能ポリマーと、ケトン、アルデヒド、及びこれらの混合物から選択された活性構成成分との間の反応生成物である、請求項１に記載の湿気透過性で液体不透過性の使い捨てカバーシート。
【請求項４】
前記活性物質放出システムが、デンプンでカプセル化された香料である、請求項１に記載の湿気透過性で液体不透過性の使い捨てカバーシート。
【請求項５】
水蒸気透過速度（ＷＶＴＲ）が、少なくとも４００ｇ／ｍ２・２４時間、好ましくは少なくとも５００ｇ／ｍ２・２４時間、より好ましくは少なくとも６００ｇ／ｍ２・２４時間であることを特徴とする、請求項１〜４のいずれか一項に記載の湿気透過性で液体不透過性の使い捨てカバーシート。
【請求項６】
前記カバーシートが、寝具物品用の使い捨てカバーシートである、請求項１〜５のいずれか一項に記載の湿気透過性で液体不透過性の使い捨てカバーシート。
【請求項７】
前記カバーシートが、使い捨てマットレスカバー、または使い捨て枕カバーである、請求項６に記載の寝具物品用の使い捨てカバーシート。
【請求項８】
前記マットレスカバーが、ベッドマットレス４の長手方向側面６へ固定するための付着手段３を含むことを特徴とする、請求項７に記載の使い捨てマットレスカバー。
【発明の詳細な説明】
【０００１】
（発明の分野）
本発明は、湿気透過性があり、液体不透過性であって活性物質放出特性を有する、マットレスや枕などの好ましくは寝具品目用の使い捨てカバーシートに関する。そのカバーシートは、湿気透過性の基材上に好ましくは適用された熱可塑性組成物を含む、湿気透過性を有する液体不透過性に形成された構造を含む。本発明のカバーシートは、湿気透過性、液体不透過性、廃棄性、心地良さ、特定の活性物質放出特性が望ましい場合にもまた、様々な用途を見出すことができる。好ましくは、本発明のカバーシートは、マットレスカバーまたは枕カバーである。
【０００２】
（発明の背景）
カバーシート、特にベッドマットレスカバーなどの寝具物品用カバーシートは、当技術分野で既知である。これら物品の主要な用途は、マットレスを、特にベッドマットレス、更にはまた、枕、クッション、刺子羽根ぶとん、布張り品を、汚染物から、例えばダスト、流体、または体液から、例えば、病院、ホテルまたはレンタルハウスなどの異なる使用者のマットレスの使用が意図される環境において、保護することである。更に、マットレスカバーは、家庭でマットレスに保護カバーを設けるために使用される。
更に最近、温度や栄養に関して好ましい環境条件を見出すことができるマットレス上や内部のダスト中に通常生存するイエダニを抑制するために、マットレスカバーをアレルゲンバリアとして作用させることが提案されている。
【０００３】
チリダニとも呼ばれるイエダニが、アレルギーを引き起こすだけでなく喘息などの他の症状にも不利に関与するハウスダストアレルゲンの根源であることが明らかにされて久しい。アレルゲン抑制対策を使用すると、これらの状態の抑制にも有効であることが明らかにされている。アレルゲン出現を防ぐための、ダニを封じ込めるアレルゲンプルーフの包装が、ベッドマットレス、枕、クッション、刺子羽根ぶとん、布張り品などのマットレスに長い間使用されてきた。
マットレスカバーは人体と直接または間接的に（即ち、更なる中間層、例えばベッドシーツまたはピローケースを介して）接触することになるので、このようなカバーは、外部作用物質に対する所望の防護をマットレスに備えるために液体不透過性であることに加えて、快適さを得るために湿気透過性にすることが重要である。チリダニに対するバリアとして使用するとき、それらは、アレルゲンバリア機能も有すべきである。
【０００４】
液体不透過性であると共に通気性である、すなわち湿気透過性である使い捨てマットレスカバーの種々の例が当技術分野で既知である。
既知の使い捨てマットレスカバーは、湿気透過性があり、好ましくは空気透過性であることに加えて液体バリアを提供することができる、種々の材料または構造体を有する。このような構造体または材料は、単一層、または共に積層した多重層を含むことができる。１つの例は、例えば不織布層などの繊維層に積層した熱可塑性の微小多孔性フィルムを含む構造体である。
使い捨てマットレスカバーに適する特に好ましい材料は、親水性の連続フィルムであって「モノリシックフィルム」とも呼ばれ、材料中の開孔または開口から湿気を流出はさせないが、湿気濃度がより高いフィルムの一方の側で水分を吸収して湿気濃度がより低いフィルムの反対側で水分を放散または蒸発させることにより、フィルムを通してかなりの量の湿気を移動させる。
【０００５】
出願人らの特許出願ＥＰ　０９６３７６０及びＥＰ　０９６４０２６では、湿気透過性があり液体不透過性の好ましい特性を有する、湿気透過性があり、液体不透過性の親水性連続層を製造するための、熱可塑性組成物が開示されている。これらの開示された好ましい熱可塑性組成物はまた、所望の厚さを有するコーティングを基材上に提供するには容易に処理可能であるので、従来型の複雑な押出し装置の必要性がなくなる。これは、そのような粘度を低下させる好適な可塑剤または可塑剤の混合物を組成物中に含有させることにより、熱可塑性ポリマーの粘度を修正することで達成される。これにより、湿気透過性があり、液体不透過性のフィルムまたは層を形成するために、低粘度のホットメルト組成物を基材上に直接コーティングする、当技術分野において既知のこれら好ましい組成物の典型的な処理条件を利用することが可能になる。
【０００６】
湿気透過性があり、液体不透過性の使い捨てマットレスカバーが、湿気透過性があり、液体不透過性の構造体を含み、これが次に例えば不織布層などの繊維層の湿気透過性がある基材上に好ましく適用された、ＥＰ　０９６３７６０またはＥＰ　０９６４０２６のいずれかによる熱可塑性組成物の層を含んで、複合構造体を形成するようになる。こうしたカバーが特に好ましいのは、液体不透過性と組み合わせのより良い湿気透過性を提供すると共に、上述した組成物に関連する製造がより容易になった有利性を利用できるからである。
【０００７】
使い捨てマットレスカバーに対する他の改良点は、本出願人らにより１９９９年１２月９日に出願されたヨーロッパ特許出願Ｎｏ．９９１２５３５．８に記載されている。この出願特許では、例えばマットレスがベッドマットレスまたは枕であって、例えば睡眠中のユーザの動きによりマットレスカバーが動くまたは外れることがある場合、使用中にカバーが外れる可能性を最小にするために、すなわち一般的にはマットレスカバーでマットレス自体に対してある圧力を加えるとき、使用中の使い捨てマットレスカバーとマットレス表面との間に大きな摩擦が確立される。これが特に重要なのは、矩形のベッドマットレスカバーの隅部に取り付けられた、カバーをマットレスに繋ぐための、例えば弾性バンドまたは紐などの伝統的手段との組み合わせで、マットレスの外表面を部分的に、例えばベッドマットレスの上表面を、マットレスカバーにより覆うことを意図したときである。
また一方、マットレスカバーとマットレスとの間に大きい摩擦を提供することは、マットレス全体を包み込むように企図したマットレスカバーの局面においても有用である。実際これら両方の場合において、この増加した摩擦は、使用中におけるマットレスカバーとマットレスとの間の相対的な動きを防ぎ、または少なくとも減少させるので、マットレスカバーをマットレスに適用するときに、例えば使用者により最初に設けられた正しい位置にマットレスカバーを保持する時に、助けとなる。
【０００８】
上述の本出願人らの出願特許で開示されたカバーシートが、特に保護の点において良く機能したとしても、これらは、活性物質放出特性を提供するによる、使用者のための更なる利益の点で改良の余地がある。香料や揮発性療法物質などの活性物質を放出するシステムは、例えばＰＣＴ国際公開特許ＷＯ９９／１７６４３に示されるように、当技術分野及び寝具物品用カバーシートの分野でもまた既知であるが、湿気透過性があり、液体不透過性で、特定の活性物質放出特性を有する使い捨てカバーシート、特にマットレスや枕などの寝具物品用のものは知られていない。
【０００９】
（発明の概要）
湿気透過性があり、液体不透過性の使い捨てカバーシートは、少なくとも、湿気透過性がある層と、前記湿気透過性がある層上に好ましくは適用された液体不透過性であるが湿気透過性があるフィルム層とを含み、そのカバーシートは特有の活性物質放出特性を有する。
より具体的には、前記カバーシートは、活性物質が長く継続する放出を提供可能な活性物質放出システムを含み、更に具体的には、７日後に好ましくは１４日後に、活性物質そのものの同期間後の活性物質匂い強度と比較し、本明細書で説明する活性物質強度試験により決定される値として、少なくとも５の、好ましくは少なくとも１０の、より好ましくは少なくとも１５の活性物質匂い強度の明確な差を提供可能な活性物質放出システムを含み、カバーシートの最初の使用後に長期に及ぶ活性物質の放出を提供するようになっている。
【００１０】
（詳細な説明）
本発明により、湿気透過性があり、液体不透過性の使い捨てカバーシートが提供され、これは、湿気透過性がある層と、湿気透過性を有する加工性が非常に高い熱可塑性組成物を具備する、少なくとも液体不透過性であるが湿気透過性があるフィルム層とを含む。前記カバーシートは、活性物質放出特性を提供することにより、特にマットレスカバーなどの寝具物品用のカバーシートとして使用するときに、更なる利益を使用者にもたらす。
本発明によるカバーシートは、家庭及び産業の両方、または施設での使用の様々な分野で、種々の物品を覆って防護するために使用可能であり、かかる用途として、家庭使用または施設使用の両方で、及び交通産業で使用されるヘッドレスト及び座席用カバーシート、ダイニングセットのテーブルカバー、医療検査机用カバーシート、家具用カバーシートなどが挙げられるが、これらに限されない。
【００１１】
本発明のカバーシートの好ましい用途は、家庭及び施設使用両方用の寝具物品にある。本発明のカバーシートは、使い捨てベッドマットレスカバー、及びピローケース若しくはカバーにて使用するのに特に有用である。
本明細書で使用する用語「マットレス」は、例えば木綿、毛、羽毛、発泡ゴム、またはコイルスプリングの配列などの弾力性材料を充填した布地のケースを指し、したがって、特にベッドマットレスを包含するが、枕、クッション、掛け布団、羽毛布団、（ヘッドボードなどの）ベッドの布張り部分、またはソファ若しくはアームチェアの布張り部分なども挙げられる。その結果、たとえ本発明がマットレスカバーの形態の寝具品目用使い捨てカバーシートを特に参照して説明される場合でも、いかなる場合においてもその範囲をマットレスカバーに限定するという意味ではない。
【００１２】
特にマットレスに言及すると、一般に、各マットレスは、毎年、約４５キロ〜８０キロの汗、及び約１５０グラムの皮膚片を「吸収」することが知られている。これに加えて、一般に無数のダニがマットレスの中に生存している。他の問題として、不意の汚れが実際上避けられないことがある。通常、消費者は、上述した問題を承知しており、事実、使用者の大部分は、普通は木綿製の再使用可能なマットレスカバーを使用する。しかし、これらのカバーでは、上述の問題が解決されず、特に活性物質を放出する有効な作用を提供することは不可能である。ここで活性物質の放出とは、特に香料や揮発性療法物質などの活性物質を、前記活性物質の放出が長く続く制御した方法で発散することが可能なことを意味する。
本発明の使い捨てカバーシートは、少なくとも第一の湿気透過性がある層と前記第一の層上に結合された液体不透過性であるが湿気透過性がある熱可塑性組成物の第二のフィルム層とを含む、異なる層の積層体にあり、すなわち好ましくは、この積層体は、複合構造体の元になる少なくとも２つの結合した層から成る。
【００１３】
より多くの熱可塑性組成物のフィルム層が、１つ以上の他の湿気透過性がある層との組み合わせで複合構造体に使用されて、湿気透過性があり液体不透過性の層状複合構造体を作り出す場合、各フィルム層は、同じ特定の熱可塑性組成物、または異なる特定の熱可塑性組成物で作ることができる。
上述の複合構造体は、少なくとも１つの構成要素、典型的には１つ以上の他の湿気透過性がある層と組み合わされた、熱可塑性組成物のフィルム層を含むことができる。かかる湿気透過性材料として、繊維、繊維性打ち延ばし綿、不織布、織布、紙、ミクロ孔質または多孔質膜、ポリマーフィルムなどのフィルム、穿孔または孔あきフィルム及び紙、巨視的に拡大されたフィルム、布地などが挙げられるが、これらに限定されない。
【００１４】
前記他の構成要素は、非吸収性であっても、吸収性であっても、液体を含有していてもよい。
上述したカバーシートの複合構造体は、少なくとも４００ｇ／ｍ２・２４時間、より好ましくは少なくとも５００ｇ／ｍ２・２４時間、最も好ましくは少なくとも６００ｇ／ｍ２・２４時間の湿気透過速度（ＷＶＴＲ）を有するが、液体不透過性である。
特に好ましい本発明の実施態様によれば、湿気透過性があり、液体不透過性の使い捨てマットレスカバーは、湿気透過性の基材上に適用された熱可塑性組成物のフィルム層を有する複合構造体を含み、前記フィルム層は、使用の際にマットレスに直接接触するように企図されている。湿気透過性がある基材は、既知の手段により、例えば好ましくはホットメルトコーティングにより熱可塑性組成物が連続した層またはフィルムであり、その上に適用される例えば不織布層などの繊維層を好ましくは含む。
【００１５】
使用中にマットレスに直接接触するように企図された熱可塑性組成物の層を有する湿気透過性があり液体不透過性の構造体を含む、湿気透過性があり液体不透過性の使い捨てマットレスカバーは、当技術分野で既知の、及びその所期の使用に好適な、いかなる形状及び構成をも有することができる。
例えば、そのマットレスが標準のベッドマットレスからなる場合、マットレスカバーは、弾性のひもを隅部に備えたり、あるいはＦＲ　２７４７８９９に記載されるように伸縮自在の隅部を一体的に備えたりする、実質的に矩形のフラットシートとすることができる。その矩形のシートは通常、ベッドマットレスの少なくとも上表面を完全に覆うために好適な寸法を有しており、好ましくは、上述した後者の実施態様でのように、その側表面をも完全に覆うために好適な寸法を有し、そこでは、弾性の紐または伸縮自在の隅部が、当技術分野にて既知の方法で好適に剥離可能なマットレスへの連結を提供する。そのマットレスカバーがマットレスを完全に包み込むための好適な形状及び大きさを有する代替構成も可能である。この後者の構成は、マットレスカバーが、液体不透過性であり、湿気透過性があることに加えて、チリダニ、及び関連するアレルゲンに対しても全体的なバリアを提供する場合に、好ましいものであり得る。
【００１６】
本明細書の図面に示すように、使い捨てマットレスカバーは、好ましくは本発明によってつくられた矩形のブランケットを含む。特に、湿気透過性があり、液体不透過性の使い捨てブランケットは、好ましくは湿気透過性がある繊維層のトップシート１と、前記トップシート１に積層して二層複合構造を形成するようにされた、液体不透過性であるが湿気透過性はある熱可塑性組成物のフィルム層のバックシート２とにより形成される。バックシート２は、マットレス４の上部に面して直接接触するように企図されており、一方トップシート１は、使用者に面するようになっている。
熱可塑性組成物は、ある程度の残留粘着性をバックシート２に与えることができる。この粘着性が、今度は、使用中にマットレスカバーとマットレス４との間の相対的な動きを防止するか、または少なくとも低減し、したがって、使用者により最初に設定された正しい位置にマットレスカバーを保持することに役立つ。いかなる場合でも、及び所望の場合、熱可塑性組成物を好適に選択することにより、または例えばタルカムパウダーなどの公知の手段でいずれかの残留する粘着性を無効にすることにより、マットレスカバーが残留粘着性を有さないようにできる。この粘着性は、活性物質を本発明に従いマットレスカバーに組み込むことにも有用であり得る。
【００１７】
使用者がマットレスカバーをマットレス上の適切な位置に置くことのみならず、安定した方法でマットレスカバーをマットレスに固定するのを補助するために、図に示すように、付着手段３が設けられる。付着手段３は、例えば、市販の生理用ナプキンのパンティ固定付着貼付剤の製造において使用されるような、または両面付着テープの片のような、使用する前に付着材を保護するための剥離ライナによって覆われた、従来型感圧付着剤の１つ以上の縞とすることができる。
図３に示すように、マットレスカバーは、マットレス４の少なくとも上面を完全に覆うのに、及びマットレス４の長手方向側面６を部分的に覆うのに、好適な寸法を有し、一方、付着手段３は、好ましくはマットレス４の長手方向側面６に取り付けられる。
【００１８】
特定のマットレスの型、形状、寸法、並びにマットレスカバーの意図された用途によるが、本発明によるマットレスカバーの他のいかなる好適な形状または配置も可能である。
好ましくは、本発明の湿気透過性があり、液体不透過性の使い捨てカバーシートは、マットレスカバーまたは枕カバーとして使用するとき、１５．０ｍ２〜０．３ｍ２、好ましくは８．０ｍ２〜０．５ｍ２の範囲の表面積を有する。最も好ましくは、特にマットレスカバーの場合、前記表面積は、５．０ｍ２〜１．０ｍ２である。
バックシート２に好適な熱可塑性組成物は、発明の背景の節で既述した欧州特許出願ＥＰ　９６３７６０及びＥＰ　９６４０２６にて開示されたものとすることができるが、通気性のモノリシックフィルムを形成する他の組成物も利用可能である。
【００１９】
熱可塑性組成物の残留粘着性は、粘着付与樹脂の選択により有利に付与することができ、実際、上記出願中に記載された熱可塑性組成物は、典型的には、樹脂または粘着付与樹脂の混合物を含有する。熱可塑性組成物の５０重量％まで存在してもよい好ましい樹脂は、ロジン類及びロジンエステル類、炭化水素樹脂類、脂肪族樹脂類、テルペン及びテルペン−フェノール樹脂類、芳香族樹脂類、合成Ｃ５樹脂類、合成Ｃ５〜Ｃ９樹脂類の混合物、並びにこれらの混合物から選択することができる。
粘着付与樹脂または粘着付与樹脂の混合物を適切に選択することにより、熱可塑性組成物の室温での残留粘着性と、それに従い前記熱可塑性組成物から形成された層の室温での残留粘着性とを、それが感圧付着剤の典型的な特徴を有する程度にまで調整可能である。
【００２０】
好ましい粘着付与樹脂または粘着付与樹脂の混合物は、依然１２５℃以下の軟化点を有し、ロジン及びロジンエステル類、テルペン−フェノール樹脂類、芳香族樹脂類、並びにこれらの混合物からなる群から選択される。
より好ましくは、上述した用途による熱可塑性組成物は、上述のように選択された粘着付与樹脂の混合物を含み、さらに、前記粘着付与樹脂の混合物の０重量％〜２０重量％、好ましくは２重量％〜１５重量％は、２５℃未満の軟化点を有する樹脂または樹脂の混合物を含み、前記粘着付与樹脂の混合物の８０重量％〜１００重量％、好ましくは８５重量％〜９８重量％は、少なくとも７０℃の軟化点を有する樹脂または樹脂の混合物を含む。
バックシート２のためのその他の熱可塑性組成物として、本出願人らにより２０００年８月１０日に出願された「湿気透過性がある構造用の付着特性を改良した熱可塑性の親水性ポリマー組成物（Ｔｈｅｒｍｏｐｌａｓｔｉｃ ｈｙｄｒｏｐｈｉｌｉｃ ｐｏｌｙｍｅｒｉｃ ｃｏｍｐｏｓｉｔｉｏｎｓ ｗｉｔｈ ｉｍｐｒｏｖｅｄ ａｄｈｅｓｉｖｅ ｐｒｏｐｅｒｔｉｅｓ ｆｏｒ ｍｏｉｓｔｕｒｅ ｖａｐｏｕｒ ｐｅｒｍｅａｂｌｅ ｓｔｒｕｃｔｕｒｅｓ）」という名称の欧州特許出願Ｎｏ．００１１６２８４．１（Ｐ＆ＧケースＣＭ２４０６Ｆ）に記載されているものがある。
【００２１】
モノリシックフィルムが好ましい材料であるのは、このフィルムが、材料内の開口または開孔から湿気は通さないが、湿度が高いフィルムの片側から水分を吸収してフィルムの湿度が低い反対側に放散または蒸発させることにより、かなりの量の湿気をフィルムを通して輸送するからである。その結果、このフィルムは、湿気の通過は許容するが、流体、ほこりなどには真に不透過性である。
【００２２】
活性物質放出システム
本発明による使い捨てカバーシートは、必須構成要素として、活性物質放出システムを含み、それは制御された方法で１つ以上の活性物質を放出することが出来る。
その使用中に芳香剤を放出する香料などの活性物質が、利用可能である。
【００２３】
本明細書で使用する用語、香料は、いずれかの芳しい物質を意味する。一般的には、かかる物質は、室温において大気圧よりも低い蒸気圧により特徴付けられる。本発明で使用する香料は、室温で流体のものが大部分であるが、当技術分野で既知の様々な樟脳系香料のように、固体のこともある。多種多様な化学物質が香料として使用されることが知られており、アルデヒド類、ケトン類、エステル類などの物質が挙げられる。より一般的には、様々な化学構成成分の複雑な混合物を含有する天然に発生する植物及び動物の油及び滲出物が、香料として用いられることが知られており、このような物質が本発明で使用可能である。本明細書の香料は、組成が比較的簡単なものとすることができ、または任意の所望の匂いを提供するために全て選定された、非常に高度な、天然及び合成した化学構成成分の複雑な混合物を含有することもできる。
【００２４】
本明細書の典型的な香料は、例えば、ビャクダン油、シベット、及びパチョリ油などの風変わりな物質を含有する、木性／地球性塩基を含むことができる。
本明細書の香料は、例えばバラ抽出物、及びスミレ抽出物などの、軽い花の香りとすることができる。本明細書の香料は、例えばライム、レモン、及びオレンジなどの、望ましいフルーティな匂いを提供するように調合することもできる。
香料物質は、ニュージャージー州モントクレア、アーサーの（Ａｕｒｔｈｏｒ，Ｍｏｎｔｃｌａｉｒ，Ｎ．Ｊ．）第１巻及び第２巻、アークタンダー（Ｓ．Ａｒｃｔａｎｄｅｒ）の香料剤の特色及び化学（Ｐｅｒｆｕｍｅ Ｆｌａｖｏｒｓ ａｎｄ Ｃｈｅｍｉｃａｌｓ）、及び第Ｉ及びＩＩ巻、及びニュージャージー州ローウェイ（Ｒａｈｗａｙ，Ｎ．Ｊ．）メルク社（Ｍｅｒｃｋ ＆ Ｃｏ．，Ｉｎｃ．）メルクインデックス（Ｍｅｒｃｋ Ｉｎｄｅｘ）第８版に、更に完全に記載されている。
【００２５】
要約すると、心地良く一方では所望の匂いを発散する科学的に適合性のあるいかなる物質も、本発明の香料化した粒子中で使用することが出来、本発明に従い、物品に適用したときに所望の匂いを提供することができる。
標準的には固体である香料も、本発明で使用可能である。これらは、溶媒などの液化剤と混合してから本発明の物品にスプレーすることにより組み込むことができ、または、香料が加熱により昇華または分解しない限り、単に溶かしてフィルム層へ一体化することができる。
好ましくは、例えばＧＢ　１４６４６１６に記載されているようなデンプンでカプセル化した香料が、本発明によるカバーシート中で活性物質放出システムとして利用可能である。カプセル化することにより、香料の放出が長く続くことになる。
【００２６】
より好ましくは、有用な活性物質放出システムは、ＰＣＴ国際公開特許ＷＯ００／０２９８７、欧州特許出願　ＥＰ０９７１０２１、ＥＰ　０９７１０２４、及びＥＰ０９７１０２５にて開示されるものの中から選択することができ、これらではとりわけ、少なくとも１つの一級及び／または二級アミン基を含むアミノ官能ポリマーと、ケトン、アルデヒド、またはこれらの混合物から選択される活性構成成分との間の反応生成物について記載されている。好ましくは、活性物質放出システムは、一級アミンと、ケトンまたはアルデヒド香料構成成分との間の反応生成物とすることができる。上述の特許出願に記載された反応生成物の利用により、活性物質（例えば、香料構成成分）の放出が、活性物質そのものだけの使用よりも長期間継続する。
【００２７】
活性物質は香料に限定するものではなく、殺虫剤類、防臭剤類、揮発性療法物質類、芳香油類、及びこれらの混合物から選択される他の既知の活性物質も、使用者に利益を提供するために利用できることに留意すべきである。
揮発性療法物質は、感冒またはアレルギー症者の鼻孔のつまりを解消してすっきりと保つための補助をする、例えばメンソール、樟脳、ユーカリ油、及び類似の油などの物質、並びに、長時間の暴露の結果として鼻孔または肺を通して吸収することにより患者に利益を与えることができる他の物質を包含する。療法物質として、使用者のリラックスまたは睡眠を助ける、ハーブ抽出物などを挙げることができる。「アロマセラピー油」と呼ばれるものなどの芳香油も、基材中で使用することができる。
【００２８】
本発明の活性物質放出システムにて使用されるな活性物質は、好ましくは、上述の物質またはそれらの組み合わせのいずれかから選択される。
１つまたは複数の活性物質は、当技術分野において開示されているいずれかの方法により、本発明の物品に組み込み可能である。
【００２９】
他の特性
湿気透過性があり、液体不透過性がある層は、好適な熱可塑性組成物から、前記熱可塑性組成物を基材上にコーティングすることにより、形成できる。
本発明によって熱可塑性組成物からフィルム層を製造する方法は、典型的には、前記組成物を提供する工程、前記組成物を加熱して流動可能にする工程、及び前記組成物を溶融状態で基材上に所望の厚さを有する層にコーティングする工程、を含む。活性物質は、熱可塑性組成物に含有可能であることに留意すべきである。あるいは、これらは、上述のように層またはフィルムが形成された直後または間がない内に、例えば組成物の粘着性を利用することにより直接付着して、熱可塑性組成物で作られたフィルムまたは層の表面上に適用することができる。
本発明によれば、湿気透過性があり、水不透過性の複合体は、熱可塑性組成物と、その上にコーティングされる湿気透過性もまたある基材とを含んで形成される。
【００３０】
このような実施態様により、湿気透過性があり、液体不透過性の複合構造体が提供され、ここで、熱可塑性組成物で形成されたフィルム層は、一方では基材にしっかりと結合されるが、液体バリアに対する必要な性能をもたらすので、可能な限り薄くして有益な形で供給することもできる。この方法にて、かかる実施態様により、湿気透過性があり、液体不透過性の複合構造体が提供され、ここで、熱可塑性組成物で形成されたフィルム層の複合材料の性能への寄与は、主として流体バリアの形成にある。残りの機能の物理的な規準は、したがって好ましくは支持層としても作用する供与された基材によってもたらされる。しかしながら、本出願人らの前述した特許出願によれば、熱可塑性組成物は厚いフィルム層の場合でも高い通気性（高いＷＶＴＲ）を提供するので、フィルム層は、いずれの用途においても可能な限り薄くする必要はないことに留意すべきである。好適な基材に適用されて本発明の複合構造体を形成する熱可塑性組成物のフィルム層の典型的な厚さは、２μｍ〜２００μｍの範囲である。
【００３１】
基材または支持層は、湿気透過性でもあるいずれかの有用な層とすることができ、好ましくは少なくとも４００ｇ／ｍ２・２４時間、より好ましくは少なくとも５００ｇ／ｍ２・２４時間、最も好ましくは少なくとも６００ｇ／ｍ２・２４時間の湿気透過性を有する。
本発明で使用するのに好ましい支持層は、織布及び不織布層、最も好ましくは疎水性の不織布のような疎水性の繊維層を包含する。非制限的な例として、ＢＢＡ不織布グループ（ドイツ）コロビン（Ｃｏｌｏｖｉｎ）によりそれぞれコードＧ１７ＡＩ０、ＭＤ３０００にて市販されている１７ｇ／ｍ２または２５ｇ／ｍ２のＳＭＳ（スパンボンド−メルトブロウン−スパンボンド）の疎水性の１００％ポリプロピレン不織布、またはテクノフィブラ（Ｔｅｃｈｎｏｆｉｂｒｉａ）（イタリア）によりコードＴＪＥＴ　Ｃ５００にて市販されている５０ｇ／ｍ２のスパンレースの不織布が良く機能する。
【００３２】
本発明で使用するのに好適な基材は、本発明による構造体中の更なる層として、二次元の平面状ミクロ及びマクロ多孔フィルム、巨視的に拡大されたフィルム、形成された孔あきフィルム、及び不織布及び織布層を含むこともできる。本発明で使用するのに好適な巨視的に拡大されたフィルムは、例えば、米国特許第４，６３７，８１９号及び米国特許第４，５９１，５２３号に記載されているようなフィルムを包含する。
本発明による好ましい実施態様の構造体は、熱可塑性組成物が所望の厚さを有するフィルム層として支持基材上に適用可能な複合体を提供することができるので、特に有利である。低粘度ホットメルトを直接コーティングするための当技術分野で既知の典型的なコーティング条件や装置は、熱可塑性組成物を所望の厚さで提供するために、容易に使用することができる。
【００３３】
支持層として作用する基材上に熱可塑性組成物をコートして複合積層体を形成するための可能な方法は、ＰＣＴ国際公開特許ＷＯ９６／２５９０２中に記載されている。
層の形態の熱可塑性組成物は、少なくともコーティング温度で、好ましくは支持基材上で付着剤特性を示して、好ましい複合体を形成するようになっており、その結果、熱可塑性組成物と基材間との間の永久的な結合を達成するために追加の付着剤を必要としない。
熱可塑性で親水性の組成物を好適な基材上にコートして形成される、湿気透過性があり、液体不透過性の複合構造体は、本発明による湿気透過性があり、液体不透過性の使い捨てマットレスカバーを構成する構造体として、特に有用性が見出されている。
【００３４】
（実施例）
アトフィナ（Ａｔｏｆｉｎａ）（フランス）から入手可能な商標名ペバックス（Ｐｅｂａｘ）２５３３ＳＮで商品化されているポリエーテルアミドブロックコポリマーを、アルドリッチ（Ａｌｄｒｉｃｈ Ｃｏ．）社から入手可能なトリブチルシトレート（Ｔｒｉ Ｂｕｔｙｌ Ｃｉｔｒａｔｅ）（可塑剤）、ハーキュレス社（Ｈｅｒｃｕｌｅｓ Ｉｎｃ．）から入手可能なＲｅｓＡ−２６９１（粘着付与樹脂）及びＲｅｓＡ−２６９０（粘着付与樹脂）（両樹脂とも既に説明した出願人らの欧州出願Ｎｏ．００１１６２８４．１に記載されている）、並びにチバガイギー（ＣｉｂａＧｅｉｇｙ）から入手可能なイルガノックス（Ｉｒｇａｎｏｘ）１０１０（坑臭剤）、を配合する。
最終処方は重量パーセントで次の組成を有する。
【００３５】
【表１】
2004510475.tif 000003
【００３６】
この混合物を溶融押出しして、坪量２０ｇ／ｍ２のフィルムを得る。このフィルムを、ＢＢＡ不織布グループ（ドイツ）コロビン（Ｃｏｒｏｖｉｎ）から入手可能な商標名ＭＤ３０００として市販されているＳＭＳ（スパンボンド−メルトブロウン−スパンボンド構造）の疎水性の１００％ポリプロピレン不織布２５ｇ／ｍ２（支持層）により構成した基材上に、直接積層する。その複合体は、８４６ｇ／ｍ２・２４時間のＷＶＴＲを有する。
この複合物構造体を使用して、マットレスカバー、例えば本明細書の図に示すようなベッドマットレスカバーを製作する。それは、ベッドマットレスの少なくとも上面を完全にカバーする好適な寸法の平坦な矩形の形状を有し、熱可塑性組成物のフィルム層２は、使用中マットレス４に面して直接接触するようになっている。特に、その寸法は、１．７５ｍ（幅）及び２．１０ｍ（長さ）であり、図３に示すように、ベッドマットレス４の上面を完全に覆い、及びその長手方向側面６を部分的に覆う。マットレスカバーの隅部は、付着テープの付着剤表面を保護する剥離ライナ５を使用前に取り外した後、付着テープ３によりベッドマットレスの隅部に固定される。付着テープ３は、両面付着テープの片であり、それぞれが幅５０ｍｍ及び長さ３００ｍｍを有し、アベリデニソン社（Ａｖｅｒｙ Ｄｅｎｎｉｓｏｎ Ｃｏ．）からコードＦＴ３１０で入手可能である。
【００３７】
ベッドマットレス４の長手方向側面６にマットレスカバーをより良く固定するために、マットレスカバーの長手方向縁に沿って他の付着テープを設けることも可能なことに留意すべきである。
マットレスカバー用の上述の材料の１０ｃｍ×１０ｃｍの寸法を有する異なるサンプルに、アミノ官能ポリマーとデルタ−ダマスコーン（Ｄｅｌｔａ−Ｄａｍａｓｃｏｎｅ）などのケトン香料との間の反応生成物である、「香料」（活性物質放出システム）のエタノール懸濁液の異なる量をスプレーした。特に、その「香料」は、ＰＣＴ国際公開特許ＷＯ００／０２９８７の教示により製造される。その「香料」は、デルタ−ダマスコーン（Ｄｅｌｔａ−Ｄａｍａｓｃｏｎｅ）６０重量％と、Ｂａｓｆ社（Ｂａｓｆ ＡＧ）（ドイツ）より入手可能なルパソール（Ｌｕｐａｓｏｌ）ＷＦ４０重量％から成る。上述の「香料」は、一級アミン官能基を含む化合物と、活性ケトンまたはアルデヒドを含有する構成成分とのアミン反応生成物として、一般的に定義することができる。このような好ましい化合物及び他の有用な活性物質は、ＰＣＴ国際公開特許ＷＯ００／０２９８７、ＥＰ　０９７１０２１、ＥＰ　０９７１０２４、及びＥＰ０９７１０２５に記載されている。
【００３８】
デルタ−ダマスコーン（Ｄｅｌｔａ−Ｄａｍａｓｃｏｎｅ）香料が選定されたのは、新鮮でバラ及びリンゴの香りを有すると訓練された香料士により記載されているからであるが、当技術分野及び上述の参考文献で既知のように、他の芳香剤も利用可能である。
その「香料」は、スプレーによりサンプルへ塗布した。詳細には、「香料」は、最初にジメチコーン中に懸濁させて（「香料」５０％及びジメチコーン５０％）液化し、次にこの懸濁液をエタノールと異なるレベルで混合し、サンプルの上にスプレーして次の表に示すような異なる量のデルタ−ダマスコーン（Ｄｅｌｔａ−Ｄａｍａｓｃｏｎｅ）（すなわち、活性物質）を得たものであり、次の表には、以降に説明する活性物質強度試験により熟練パネリスト達が評価した匂い強度（香料強度）値をも報告する。
【００３９】
【表２】
2004510475.tif 000004
【００４０】
参照は、上述のサンプルと同じサンプルであって、エタノール中に０．０２％のデルタ−ダマスコーン（Ｄｅｌｔａ−Ｄａｍａｓｃｏｎｅ）を有する懸濁液をその上にスプレーして、デルタ−ダマスコーン（Ｄｅｌｔａ−Ｄａｍａｓｃｏｎｅ）坪量０．０１２ｇ／ｍ２を得た。参照では、７日及び１４日後の活性物質強度試験により強度は検出されなかった。
上の表から明らかなように、本発明に従ってサンプルに適用した坪量０．０１２ｇ／ｍ２のデルタ−ダマスコーン（Ｄｅｌｔａ−Ｄａｍａｓｃｏｎｅ）により１４日後の匂い強度１０が得られて、参照と比較すると対応する明確な差が示されており、参照は、活性物質放出システムと組み合わせてではなく純粋香料としてその上にスプレーされた、デルタ−ダマスコーン（Ｄｅｌｔａ−Ｄａｍａｓｃｏｎｅ）香料と同じ初期量を有したという事実にもかかわらず、同じ期間後に検知される強度を有さなかった。
【００４１】
これもまた次に説明する活性物質強度試験にて示されるように、７日後の、及び好ましくは１４日後の、匂い強度５等級の明確な差は消費者にとり意味のあるものであり、並びに７日後の、及び好ましくは１４日後の、匂い強度１０等級の明確な差は重大なものであることに留意すべきである。これは、本発明によるマットレスカバーが、消費者により最初にマットレスに適用され使用されてから（すなわち、所期の目的のために最初に使用してから）、７日間及び好ましくは１４日間、有効な方法で活性物質を放出可能であることを意味する。
用語「最初の使用」により、カバーをその包装から取り出して、物品例えばベッドマットレスへ適用する時を本明細書では意味する。
【００４２】
試験
湿気透過性は、修正したＡＳＴＭ　Ｅ−９６の「直立カップ」法に従って、２３℃、相対湿度５０％における水蒸気透過速度（ＷＶＴＲ）として測定する。標準ＡＳＴＭ　Ｅ−９６の「直立カップ」法に対する唯一の修正は、カップ内の試料と水表面との間の空隙の高さの変更であり、その高さは標準試験方法で指定される１９ｍｍ±２．５ｍｍの代わりに３ｍｍ±０．５ｍｍである。
【００４３】
活性物質強度試験
匂い強度（すなわち、香料などの活性物質の場合には香料強度）は、熟練格付者が、実際の使用状況では製品の最初の使用に相当すると考えられるサンプル調製から７日及び１４日後に、サンプルを注意深く嗅いで評価する。サンプルは、上述のように直接調製することも、または既存のカバーシートから採取することもできる。後者の場合、サンプルは、カバーシートをその包装から取り出した直後に、カバーシートから切り取る。サンプルは、１０ｃｍ×１０ｃｍの寸法とする。調整後、サンプルは、室空調下で、所望の間静置させる。匂い等級付けには、０〜１００のスケールを使用する。等級付けスケールは次の通りである：
【００４４】
【表３】
2004510475.tif 000005
【００４５】
７日後好ましくは１４日後の、本発明による活性物質放出システムと活性原物質だけとの間の、５等級より大きい平均的な明確な差（すなわち、匂い強度残留量）は、消費者にとって意味がある。７日後好ましくは１４日後の、１０等級以上の明確な差は、重大なものである。言い換えれば、７日後好ましくは１４日後の、活性物質放出システムと活性原物質だけとの間に、５より大きい、好ましくは少なくとも１０、より好ましくは少なくとも１５の明確な強度等級の差が観察されるとき、選定した活性構成成分の放出はより長く、すなわち、活性構成成分がより長い間作用するので、その活性物質放出システムは本発明で使用するのに好適であると結論付けることができる。この方法により、効果的な利益が消費者に提供される。
本出願の図面は、本発明の好ましい実施形態を企図しているが、いかなる場合においてもその範囲を制限するものではない。
【図面の簡単な説明】
【図１】本発明による使い捨てマットレスカバーの平面略図である。
【図２】図１の使い捨てマットレスカバーの線Ａ−Ａに沿う断面図である。
【図３】マットレスに取り付けられたマットレスカバーを示す図である。
【図１】
2004510475.tif 000006
【図２】
2004510475.tif 000007
【図３】
2004510475.tif 000008
【国際公開パンフレット】
2004510475.tif 000009
2004510475.tif 000010
2004510475.tif 000011
2004510475.tif 000012
2004510475.tif 000013
2004510475.tif 000014
2004510475.tif 000015
2004510475.tif 000016
2004510475.tif 000017
2004510475.tif 000018
2004510475.tif 000019
2004510475.tif 000020
2004510475.tif 000021
2004510475.tif 000022
2004510475.tif 000023
2004510475.tif 000024
2004510475.tif 000025
2004510475.tif 000026
2004510475.tif 000027
2004510475.tif 000028
2004510475.tif 000029
2004510475.tif 000030
2004510475.tif 000031
2004510475.tif 000032
【国際公開パンフレット（コレクトバージョン）】
2004510475.tif 000033
2004510475.tif 000034
2004510475.tif 000035
2004510475.tif 000036
2004510475.tif 000037
2004510475.tif 000038
2004510475.tif 000039
2004510475.tif 000040
2004510475.tif 000041
2004510475.tif 000042
2004510475.tif 000043
2004510475.tif 000044
2004510475.tif 000045
2004510475.tif 000046
2004510475.tif 000047
2004510475.tif 000048
2004510475.tif 000049
2004510475.tif 000050
2004510475.tif 000051
2004510475.tif 000052
2004510475.tif 000053
2004510475.tif 000054
2004510475.tif 000055
2004510475.tif 000056
2004510475.tif 000057
【国際調査報告】
2004510475.tif 000058
2004510475.tif 000059
2004510475.tif 000060